(57)【要約】【課題】壁面に塗布された抗微生物成分及び紫外線硬化型樹脂を含む抗微生物組成物を硬化、固定させるための紫外線照射用冶具を提供する。【解決手段】壁面に、抗微生物成分及び紫外線硬化型樹脂を含む未硬化の抗微生物組成物を付着せしめた後、前記付着した未硬化の抗微生物組成物を硬化させるために紫外線を照射する紫外線照射用冶具であって、板状の台座部と、前記台座部上に載置され、中心軸部を中心として回転自在に構成された回転台と、前記回転台の回転位置を固定する第１固定手段と、前記回転台に立設された支柱と、前記支柱に上下方向に移動可能に設けられた第１移動手段と、前記移動手段に配設された紫外線照射手段と、前記紫外線照射手段を上下方向の所定箇所に固定する第２固定手段とを備えていることを特徴とする紫外線照射用冶具。【選択図】  図１
2020197090.tif 000002
【特許請求の範囲】
【請求項１】
壁面に、抗微生物成分及び紫外線硬化型樹脂を含む未硬化の抗微生物組成物を付着せしめた後、前記付着した未硬化の抗微生物組成物を硬化させるために紫外線を照射する紫外線照射用冶具であって、
板状の台座部と、前記台座部上に載置され、中心軸部を中心として回転自在に構成された回転台と、前記回転台の回転位置を固定する第１固定手段と、前記回転台に立設された支柱と、前記支柱に上下方向に移動可能に設けられた第１移動手段と、前記移動手段に配設された紫外線照射手段と、前記紫外線照射手段を上下方向の所定箇所に固定する第２固定手段とを備えていることを特徴とする紫外線照射用冶具。
【請求項２】
前記回転台には、水平方向に移動可能な第２移動手段が配設され、前記第２移動手段を介して前記支柱が立設されており、
前記第２移動手段は、さらに前記支柱を水平方向の所定箇所に固定する第３固定手段を備えている請求項１に記載の紫外線照射用冶具。
【請求項３】
前記回転台は、その下部にボールベアリングが配置され、回転自在に構成されている請求項１又は２に記載の紫外線照射用冶具。
【請求項４】
前記台座部は、脚部を備え、前記脚部は、車輪と車輪の回転を停止するためのストッパを備えている請求項１〜３のいずれか１項に記載の紫外線照射用冶具。
【請求項５】
前記第１固定手段として、前記回転台の一部に押し付けることにより回転位置を固定する回転台固定部材が設けられている請求項１〜４のいずれか１項に記載の紫外線照射用冶具。
【請求項６】
前記台座部には、複数の第１位置固定用孔が形成されるとともに、前記回転台には、少なくとも１個の第２位置固定用孔が形成され、
前記回転台の第２位置固定用孔は、所定の角度回転した際、前記台座部の複数の第１位置固定用孔のうち、いずれかの孔と位置が合致するように形成されており、前記台座部と前記回転台の合致した孔に第１固定手段を構成する棒状部材を挿入することにより、回転台の回転位置が固定される請求項１〜５のいずれか１項に記載の紫外線照射用冶具。
【請求項７】
前記第１移動手段は、スライドレール移動機構からなる請求項１〜６のいずれか１項に記載の紫外線照射用冶具。
【請求項８】
前記第２移動手段は、スライドレール移動機構からなる請求項２〜６のいずれか１項に記載の紫外線照射用冶具。
【請求項９】
前記スライドレール移動機構は、第２固定手段又は第３固定手段としてストッパを備えたストッパ付スライドレールである請求項７又は８に記載の紫外線照射治具。
【請求項１０】
前記支柱には、所定間隔で貫通孔又は突起部が設けられるとともに、前記紫外線照射手段には、先端にフックを備えた前記第２固定手段が設けられ、前記フックを前記貫通孔に挿入するか、前記フックを前記突起に引っ掛けることにより前記紫外線照射手段を固定する請求項１〜９のいずれか１項に記載の紫外線照射用冶具。
【請求項１１】
前記台座部には、４本の脚部が取り付けられている請求項１〜１０のいずれか１項に記載の紫外線照射用冶具。
【請求項１２】
前記抗微生物組成物には、光重合開始剤が含まれている請求項１〜１１のいずれか１項に記載の紫外線照射用冶具。
【請求項１３】
前記抗微生物成分は、無機系抗微生物剤及び有機系抗微生物剤からなる群から選択される少なくとも１種を含む請求項１〜１２のいずれか１項に記載の紫外線照射用冶具。
【請求項１４】
前記無機系抗微生物剤は、銀、銅、亜鉛、白金、亜鉛化合物、銀化合物、銅化合物、又は、金属もしくは金属酸化物が担持された金属酸化物触媒である請求項１３に記載の紫外線照射用冶具。
【請求項１５】
前記無機系抗微生物剤は、銅化合物である請求項１４に記載の紫外線照射用冶具。
【請求項１６】
壁面に、抗微生物成分及び紫外線硬化型樹脂を含む未硬化の抗微生物組成物を付着せしめた後、付着した前記抗微生物組成物中の前記未硬化の紫外線硬化型樹脂に紫外線を照射して前記紫外線硬化型樹脂を硬化させ、前記壁面に抗微生物組成物の硬化体を固定させる抗微生物組成物のコート方法であって、
前記電磁波硬化型樹脂を硬化させる際、請求項１〜１５のいずれか１項に記載の紫外線照射用冶具を用いることを特徴とする抗微生物組成物のコート方法。
【請求項１７】
前記抗微生物成分は、無機系抗微生物剤及び有機系抗微生物剤からなる群から選択される少なくとも１種を含む請求項１６に記載の抗微生物組成物のコート方法。
【請求項１８】
前記無機系抗微生物剤は、銀、銅、亜鉛、白金、亜鉛化合物、銀化合物、銅化合物、又は、金属もしくは金属酸化物が担持された金属酸化物触媒である請求項１７に記載の抗微生物組成物のコート方法。
【請求項１９】
前記無機系抗微生物剤は、銅化合物である請求項１８に記載の抗微生物組成物のコート方法。
【請求項２０】
前記抗微生物組成物中に、光重合開始剤を含む請求項１６〜１９のいずれか１項に記載の抗微生物組成物のコート方法。
【請求項２１】
前記抗微生物成分は、抗ウィルス成分である請求項１６〜２０のいずれか１項に記載の抗微生物組成物のコート方法。
【請求項２２】
前記紫外線硬化型樹脂は、アクリル樹脂、ウレタンアクリレート樹脂、ポリエーテル樹脂、ポリエステル樹脂、エポキシ樹脂及びアルキッド樹脂からなる群から選択される少なくとも１種である請求項１６〜２１のいずれか１項に記載の抗微生物組成物のコート方法。
【発明の詳細な説明】
【技術分野】
【０００１】
本発明は、紫外線照射用冶具及び抗微生物組成物のコート方法に関する。
【背景技術】
【０００２】
様々なウィルスや微生物に対して抗微生物活性を発揮する抗微生物剤の開発が活発に行われている。実際、様々な基材に抗ウィルス活性を有するＰｄ等の金属や有機化合物からなる抗ウィルス剤を含む樹脂を塗布し、硬化させることにより抗ウィルス剤が担持された樹脂が表面に塗布された部材を製造することが行われている。
【０００３】
塗布された抗ウィルス剤を含む紫外線硬化型樹脂を硬化させるためには、紫外線を照射する必要がある。通常、紫外線を照射する紫外線照射装置を所定の場所に固定し、塗布された所定面積の抗ウィルス剤を含む樹脂に紫外線を照射し、硬化させた後、紫外線照射装置を移動させ、再度、他の部分に紫外線を照射する工程を繰り返す必要がある。
【０００４】
特許文献１には、床材に光重合開始剤を含有する樹脂を塗布した後、発光波長の異なる２種類以上の光源を、塗布された樹脂に照射し、上記樹脂を硬化させる方法が開示されている。
【０００５】
また、特許文献２には、床面用紫外線硬化型塗料施工装置であって、床面を移動する移動部と、紫外線硬化用塗料を収容する容器を支持する容器支持部と、紫外線硬化型塗料を床面に塗布する塗布部と、床面に塗布された紫外線硬化型塗料に紫外線を照射して硬化させる紫外線照射部と、を有する床面用紫外線硬化型塗料施工装置が開示されている。
【先行技術文献】
【特許文献】
【０００６】
【特許文献１】特許第５９１０７９９号公報
【特許文献２】特開２０１３−６４２２８号公報
【発明の概要】
【発明が解決しようとする課題】
【０００７】
しかしながら、特許文献１や特許文献２に開示されている紫外線照射方法や床面用紫外線硬化型塗料施工装置は、床面に塗布された樹脂を対象としており、床面に対して垂直に設けられている壁面に対して適用できるものではなく、壁面に塗布された樹脂を硬化させるための新たな治具が必要とされていた。
【０００８】
本発明は、上記課題に鑑みてなされたものであり、壁面に塗布された抗微生物成分及び紫外線硬化型樹脂を含む抗微生物組成物を硬化、固定させるための紫外線照射用冶具及び該紫外線照射用冶具を用いた抗微生物組成物のコート方法を提供することを目的とする。
【課題を解決するための手段】
【０００９】
本発明の紫外線照射用冶具は、壁面に、抗微生物成分及び紫外線硬化型樹脂を含む未硬化の抗微生物組成物を付着せしめた後、上記付着した未硬化の抗微生物組成物を硬化させるために紫外線を照射する紫外線照射用冶具であって、
必要に応じて脚部を備えた板状の台座部と、上記台座部上に載置され、中心軸部を中心として回転自在に構成された回転台と、上記回転台の回転位置を固定する第１固定手段と、上記回転台に立設された支柱と、上記支柱に上下方向に移動可能に設けられた第１移動手段と、上記移動手段に配設された紫外線照射手段と、上記紫外線照射手段を上下方向の所定箇所に固定する第２固定手段とを備えていることを特徴とする。
【００１０】
本発明の紫外線照射用冶具における、抗微生物とは、抗ウィルス、抗菌、抗カビ、防カビを含む概念である。従って、抗微生物成分とは、抗ウィルス成分、抗菌成分、抗カビ成分、防カビ成分を含む概念であり、抗微生物剤とは、抗ウィルス剤、抗菌剤、抗カビ剤、防カビ剤を含む概念である。
【００１１】
従って、抗微生物成分及び紫外線硬化型樹脂を含む抗微生物組成物の硬化体は、抗ウィルス、抗菌、抗カビ及び防カビのうちいずれか１種の活性を示してもよく、抗ウィルス、抗菌、抗カビ及び防カビのうち、いずれか２種類の活性を示してもよく、いずれか３種類の活性を示してもよく、４種類全ての活性を示してもよい。
【００１２】
本発明の紫外線照射用冶具によれば、必要に応じて脚部を備えた台座部上に、中心軸部を中心として回転自在に構成された回転台を載置しているので、回転台の回転位置を固定する第１固定手段を使用することにより、回転台を所定の角度回転した位置で固定することができ、回転台を回転させた後固定する操作を繰り返すことにより全ての方向に紫外線を照射することができる。また、本発明の紫外線照射用冶具によれば、第１移動手段及び第２固定手段を使用することにより、上下方向の位置も所定間隔で変えることができる。従って、紫外線照射手段を上下方向の任意の位置に移動させ、回転台を所定の角度回転させた後固定させ、紫外線を照射することができ、上記操作を繰り返すことにより、トイレ等の壁に囲まれた狭い空間であっても、壁面に付着した全ての未硬化の抗微生物組成物を、迅速、容易かつ効率的に硬化させることができる。
【００１３】
本発明の紫外線照射用冶具では、上記回転台には、水平方向に移動可能な第２移動手段が配設され、上記第２移動手段を介して上記支柱が立設されており、上記第２移動手段は、さらに上記支柱を水平方向の所定箇所に固定する第３固定手段を備えていることが望ましい。
【００１４】
本発明の紫外線照射用冶具において、上記回転台に、水平方向に移動可能な第２移動手段が配設され、上記第２移動手段を介して上記支柱が立設されており、上記第２移動手段が、さらに上記支柱を水平方向の所定箇所に固定する第３固定手段を備えていると、回転台により紫外線照射手段を回転させることに加え、水平方向に所定の距離移動させることができるので、上記壁面との距離も調整することができ、より広い範囲に紫外線を照射することができる。
【００１５】
本発明の紫外線照射用冶具では、上記回転台は、その下部にボールベアリングが配置され、回転自在に構成されていることが望ましい。
本発明の紫外線照射用冶具において、上記回転台は、その下部にボールベアリングが配置され、回転自在に構成されていると、円滑に回転台を回転させることができる。
【００１６】
本発明の紫外線照射用冶具では、上記台座部は、脚部を備え、上記脚部は、車輪と車輪の回転を停止するためのストッパを備えていることが望ましい。
本発明の紫外線照射用冶具において、上記台座部は、脚部を備え、上記脚部が、車輪と車輪の回転を停止するためのストッパを備えていると、紫外線照射用冶具を自由に移動させることができ、さらに広い範囲に紫外線を照射することができる。上記脚部は、台座部に対して着脱可能であることが望ましい。
【００１７】
本発明の紫外線照射用冶具では、上記第１固定手段として、上記回転台の一部に押し付けることにより回転位置を固定する回転台固定部材が設けられていることが望ましい。
本発明の紫外線照射用冶具において、上記第１固定手段として、上記回転台の一部に押し付けることにより回転位置を固定する回転台固定部材が設けられていると、回転台を任意の角度まで回転させ、停止させることができ、紫外線照射手段を紫外線照射用冶具の周囲３６０°に渡って照射することができるとともに、紫外線照射手段による紫外線の照射角度をより細かく設定することができる。
【００１８】
本発明の紫外線照射用冶具では、上記台座部には、複数の第１位置固定用孔が形成されるとともに、上記回転台には、少なくとも１個の第２位置固定用孔が形成され、上記回転台の第２位置固定用孔は、所定の角度回転した際、上記台座部の複数の第１位置固定用孔のうち、いずれかの孔と位置が合致するように形成されており、上記台座部と上記回転台の合致した孔に第１固定手段を構成する棒状部材を挿入することにより、回転台の回転位置が固定されることが望ましい。
【００１９】
本発明の紫外線照射用冶具において、上記台座部と上記回転台とが上記のように構成されていると、上記回転台を所定の角度回転させた後、棒状部材を用いることにより固定させることができ、紫外線照射手段を紫外線照射用冶具の周囲３６０°に渡って照射することができる。
【００２０】
本発明の紫外線照射用冶具では、上記第１移動手段及び／又は第２移動手段は、スライドレール移動機構からなることが望ましい。
本発明の紫外線照射用冶具において、上記第１移動手段及び／又は上記第２移動手段が、スライドレール移動機構からなると、上記スライドレール移動機構を用いることにより、紫外線照射手段を上下方向及び／又は水平方向の任意の位置に移動させることができ、第２固定手段及び／又は第３固定手段を用いて上下方向及び／又は水平方向の任意の位置に紫外線照射手段を固定することができる。
【００２１】
本発明の紫外線照射用冶具では、上記スライドレール移動機構は、第２固定手段又は第３固定手段としてストッパを備えたストッパ付スライドレールであることが望ましい。
本発明の紫外線照射用冶具において、上記スライドレール移動機構が、第２固定手段又は第３固定手段としてストッパを備えたストッパ付スライドレールであると、紫外線照射手段を上下方向又は水平方向の任意の位置で固定することができ、所定間隔で紫外線照射手段を上下方向又は水平方向に移動させながら、紫外線を照射することができる。
【００２２】
本発明の紫外線照射用冶具では、上記支柱には、所定間隔で貫通孔又は突起部が設けられるとともに、上記紫外線照射手段には、先端にフックを備えた上記第２固定手段が設けられ、上記フックを上記貫通孔に挿入するか、上記フックを上記突起に引っ掛けることにより上記紫外線照射手段を固定することが望ましい。
本発明の紫外線照射用冶具において、支柱に所定間隔で貫通孔又は突起部を設け、上記固定手段に備えられたフックを用いることにより、簡易な方法で上下方向の所定の位置に紫外線照射手段を固定することができる。
【００２３】
本発明の紫外線照射用冶具では、上記台座部には、４本の脚部が取り付けられていることが望ましい。
本発明の紫外線照射用冶具において、上記台座部に、４本の脚部が取り付けられていると、安定的に支柱により紫外線照射手段を支持、固定することができる。
【００２４】
本発明の紫外線照射用冶具では、上記抗微生物組成物には、光重合開始剤が含まれていることが望ましい。
本発明の紫外線照射用冶具において、上記光重合開始剤は、上記未硬化の抗微生物組成物を硬化させる重合開始剤として効果を有し、さらに、抗微生物成分として銅化合物を使用した場合、上記銅化合物を、抗ウィルス効果を持つ銅イオン（Ｉ）に還元するとともに、銅イオン（Ｉ）が酸化して抗ウィルス性の劣る銅イオン（ＩＩ）に変わることを抑制できる。
【００２５】
本発明の紫外線照射用冶具では、上記抗微生物成分は、無機系抗微生物剤及び有機系抗微生物剤からなる群から選択される少なくとも１種を含むことが望ましい。
本発明の紫外線照射用冶具において、上記抗微生物成分として、無機系抗微生物剤及び有機系抗微生物剤からなる群から選択される少なくとも１種を含んでいると、確実に高い抗微生物活性を有する抗微生物組成物の硬化体を形成することができる。
【００２６】
本発明の紫外線照射用冶具では、上記無機系抗微生物剤は、銀、銅、亜鉛、白金、亜鉛化合物、銀化合物、銅化合物、又は、金属もしくは金属酸化物が担持された金属酸化物触媒であることが望ましい。
本発明の紫外線照射用冶具において、上記無機系抗微生物剤が銀、銅、亜鉛、白金、亜鉛化合物、銀化合物、銅化合物、又は、金属もしくは金属酸化物が担持された金属酸化物触媒であると、高い抗微生物活性を有する抗微生物組成物の硬化体を形成することができる。
【００２７】
本発明の紫外線照射用冶具では、上記無機系抗微生物剤は、銅化合物であることが望ましい。
本発明の紫外線照射用冶具において、上記無機系抗微生物剤が銅化合物であると、より高い抗微生物活性を有する抗微生物組成物の硬化体を形成することができる。
【００２８】
本発明の抗微生物組成物のコート方法は、壁面に、抗微生物成分及び紫外線硬化型樹脂を含む未硬化の抗微生物組成物を付着せしめた後、付着した上記抗微生物組成物中の上記未硬化の紫外線硬化型樹脂に紫外線を照射して上記紫外線硬化型樹脂を硬化させ、上記壁面に抗微生物組成物の硬化体を固定させる抗微生物組成物の壁面へのコート方法であって、
上記電磁波硬化型樹脂を硬化させる際、上記の紫外線照射用冶具を用いることを特徴とする。
【００２９】
本発明の抗微生物組成物のコート方法によれば、壁面に、抗微生物成分及び紫外線硬化型樹脂を含む抗微生物組成物を付着せしめた後、付着した上記抗微生物組成物中の上記未硬化の紫外線硬化型樹脂に紫外線を照射して上記紫外線硬化型樹脂を硬化させる際、上記した紫外線照射用冶具を用いることができるので、周囲が壁に囲まれた狭い空間においても、紫外線照射手段を上下方向の任意の位置に移動させ、水平方向の所定の角度に回転させた後固定させ、紫外線照射手段より紫外線を照射し、壁面に付着した所定面積の未硬化の抗微生物組成物を硬化させることができ、上記操作を繰り返すことにより、周囲の壁面に付着した全ての未硬化の抗微生物組成物を、迅速、容易かつ効率的に硬化させることができる。
【００３０】
本発明の抗微生物組成物のコート方法では、上記抗微生物成分は、無機系抗微生物剤及び有機系抗微生物剤からなる群から選択される少なくとも１種を含むことが望ましい。
本発明の抗微生物組成物のコート方法において、上記抗微生物成分として、無機系抗微生物剤及び有機系抗微生物剤からなる群から選択される少なくとも１種を含んでいると、確実に高い抗微生物活性を有する抗微生物組成物の硬化体を形成することができる。
【００３１】
本発明の抗微生物組成物のコート方法では、上記無機系抗微生物剤は、銀、銅、亜鉛、白金、亜鉛化合物、銀化合物、銅化合物、又は、金属もしくは金属酸化物が担持された金属酸化物触媒であることが望ましい。
【００３２】
本発明の抗微生物組成物のコート方法において、上記無機系抗微生物剤が、銀、銅、亜鉛、白金、亜鉛化合物、銀化合物、銅化合物、又は、金属もしくは金属酸化物が担持された金属酸化物触媒であると、高い抗微生物活性を有する抗微生物組成物の硬化体を形成することができる。
【００３３】
本発明の抗微生物組成物のコート方法では、上記無機系抗微生物剤は、銅化合物であることが望ましい。
本発明の抗微生物組成物のコート方法において、上記無機系抗微生物剤が銅化合物であると、より高い抗微生物活性を有する抗微生物組成物の硬化体を形成することができる。
【００３４】
本発明の抗微生物組成物のコート方法では、上記抗微生物組成物中に、光重合開始剤を含むことが望ましい。
本発明の抗微生物組成物のコート方法において、上記抗微生物組成物中に、光重合開始剤を含むと、上記光重合開始剤により、上記未硬化の抗微生物組成物を硬化させることができるとともに、抗微生物成分として銅化合物を使用した場合、上記銅化合物を、抗ウィルス効果を持つ銅イオン（Ｉ）に還元するとともに、銅イオン（Ｉ）が酸化して抗ウィルス性の劣る銅イオン（ＩＩ）に変わることを抑制できる。
【００３５】
本発明の抗微生物組成物のコート方法では、上記抗微生物成分は、抗ウィルス成分であることが望ましい。
本発明の抗微生物組成物のコート方法に用いる抗微生物成分は、抗ウィルス、抗菌、抗カビ及び防カビの特性を有するが、特に抗ウィルスが最も高い活性を有するからである。
【００３６】
本発明の抗微生物組成物のコート方法では、アクリル樹脂、ウレタンアクリレート樹脂、ポリエーテル樹脂、ポリエステル樹脂、エポキシ樹脂及びアルキッド樹脂からなる群から選択される少なくとも１種であることが望ましい。
【００３７】
本発明の抗微生物組成物のコート方法において、上記電磁波硬化型樹脂が、アクリル樹脂、ウレタンアクリレート樹脂、ポリエーテル樹脂、ポリエステル樹脂、エポキシ樹脂、及び、アルキッド樹脂からなる群から選択される少なくとも１種であると、抗微生物組成物の硬化体は、透明性を有するとともに、壁面に対する密着性にも優れるからである。
【図面の簡単な説明】
【００３８】
【図１】図１は、本発明の紫外線照射用冶具の一実施形態を模式的に示す斜視図である。
【図２】図２（ａ）は、図１に示した紫外線照射用冶具を構成する第１固定手段の近傍を示す説明図であり、図２（ｂ）は、第１固定手段の近傍を示す側面図である。
【図３】図３（ａ）は、図１に示した紫外線照射用冶具を構成する第３固定手段を模式的に示す側面図であり、図３（ｂ）は、上記第３固定手段の平面図である。
【図４】図４は、図１に示した紫外線照射用冶具を構成する台座部と回転台の断面図である。
【図５】図５（ａ）は、図１に示した紫外線照射用冶具のＵＶ照射器の近傍を示す拡大側面図であり、図５（ｂ）は、図４（ａ）に示したＵＶ照射器の近傍を示す近傍を示す拡大平面図である。
【図６】他の実施形態に係る本発明の紫外線照射用冶具を模式的に示す斜視図である。
【図７】図７は、図６に示した紫外線照射用冶具を構成する台座部を模式的に示す斜視図である。
【図８】図８は、台座部及び回転台の断面図である。
【００３９】
（発明の詳細な説明）
以下、本発明の紫外線照射用冶具及び該紫外線照射用冶具を用いた抗微生物組成物のコート方法について詳細に説明する。壁面に、抗微生物成分及び紫外線硬化型樹脂を含む未硬化の抗微生物組成物を付着せしめた後、上記付着した未硬化の抗微生物組成物を硬化させるために紫外線を照射する紫外線照射用冶具であって、
必要に応じて脚部を備えた板状の台座部と、上記台座部上に載置され、中心軸部を中心として回転自在に構成された回転台と、上記回転台の回転位置を固定する第１固定手段と、上記回転台に立設された支柱と、上記支柱に上下方向に移動可能に設けられた第１移動手段と、上記移動手段に配設された紫外線照射手段と、上記紫外線照射手段を上下方向の所定箇所に固定する第２固定手段とを備えていることを特徴とする。
【００４０】
図１は、本発明の紫外線照射用冶具の一実施形態を模式的に示す斜視図である。図２（ａ）は、図１に示した紫外線照射用冶具を構成する第１固定手段の近傍を示す説明図であり、図２（ｂ）は、第１固定手段の近傍を示す側面図である。図３（ａ）は、図１に示した紫外線照射用冶具を構成する第３固定手段を模式的に示す側面図であり、図３（ｂ）は、上記第３固定手段の平面図である。図４は、図１に示した紫外線照射用冶具を構成する台座部と回転台の断面図である。図５（ａ）は、図１に示した紫外線照射用冶具のＵＶ照射器の近傍を示す拡大側面図であり、図５（ｂ）は、図４（ａ）に示したＵＶ照射器の近傍を示す近傍を示す拡大平面図である。
【００４１】
図１及び図４に示すように、本発明の紫外線照射用冶具１０は、４本の脚部１２を備えた板状の台座部１１と、台座部１１上に載置され、ベアリング１３ａが配置された中心軸部を中心とし、ボールベアリング１３ｂを備え、回転自在に構成された回転台１３と、回転台１３の回転位置を固定する第１固定手段１３ｃと、回転台１３に配置された水平方向に移動可能な第２移動手段としてのスライドレール１８と、回転台１３に第２移動手段１８を介して立設された支柱１４と、支柱１４に上下方向に移動可能に設けられた第１移動手段としてのスライドレール１５と、スライドレール１５に配設された紫外線照射手段としてのＵＶ照射器１６と、ＵＶ照射器１６を上下方向の所定箇所に固定する第２固定手段としてのベルト１７ａとフック１７ｂとを備えている。また、それぞれの脚部１２には、ストッパ１２ｂを備えた車輪１２ａが取り付けられており、支柱１４には、スライドレール１８上に固定板１９０を介して設けられた支柱１４を所定箇所に固定する第３固定手段１８ａが配設されている。支柱１４は、スライドレール１８によって移動し、被照射面である壁面等とＵＶ照射器１６との距離を調整することができる。
【００４２】
図２（ａ）及び（ｂ）に示すように、第１固定手段１３ｃは、回転台固定部材１３０と回転台固定部材１３０を支持する支持部材１３２とからなる。回転台固定部材１３０は、円盤状のハンドル１３０ａとハンドル１３０ａに取り付けられた芯棒１３０ｃと芯棒１３０ｃの先端に取り付けられた停止パッド１３０ｄと芯棒１３０ｃのハンドル１３０ａ近くに形成された短い停止棒１３０ｂとから構成されている。支持部材１３２は脚部１２に固定され、上部には、円柱形状の中心部とその両側に形成された細長い直方体が合体した形状の貫通孔１３２ａが形成されており、芯棒１３０ｃは、貫通孔１３２ａの中心部を貫通している。貫通孔１３２ａを貫通した芯棒１３０ｃには、バネ１３１が挿入されているので、バネ１３１は停止パッド１３０ｄを回転台方向に押圧している。支持部材１３２の貫通孔１３２ａは、芯棒１３０ｃが通過可能な形状となるように形成されている。
【００４３】
回転台１３を自由に回転させる場合には、停止棒１３０ｂを垂直状態にしておき、回転台１３を停止状態にする場合には、ハンドル１３０ａを回転させて停止棒１３０ｂを水平状態にすると、停止棒１３０ｂが貫通孔１３２ａを通過し、バネ１３１の力により停止パッド１３０ｄは回転台１３方向に移動し、停止パッド１３０ｄが回転台１３と接触し、押圧する。これにより、回転台１３は、停止状態となる。
【００４４】
図３（ａ）及び（ｂ）に示す第３固定手段１８ａも第１固定手段１３ｃとほぼ同様の機構を有している。すなわち、図３（ａ）及び（ｂ）に示すように、第３固定手段１８ａは、支柱固定部材１８０と支柱固定部材１８０を支持する支持部材１８２とからなる。支柱固定部材１８０は、２対の円盤状のハンドル１８０ａとハンドル１８０ａに取り付けられた芯棒１８０ｃと芯棒１８０ｃの先端に取り付けられた停止パッド１８０ｄと芯棒１８０ｃのハンドル１８０ａ近くに形成された短い停止用棒１８０ｂとから構成されている。支持部材１８２は支柱１４に固定され、上部に細長い貫通孔１８２ａが形成されており、支柱固定部材１８０の芯棒１８０ｃは、貫通孔１８２ａを貫通している。貫通孔１８２ａを貫通した芯棒１８０ｃには、バネ１８１が挿入され、停止パッド１８０ｄを回転台方向に押圧している。支持部材１８２の貫通孔１８２ａは、停止用棒１８０ｂより少し大きな形状に形成されている。
【００４５】
支柱１４を自由に移動させる場合には、停止棒１８０ｂを貫通孔１８２ａと異なる方向に位置させておき、支柱１４を停止状態にする場合には、ハンドル１８０ａを回転させて停止棒１８０ｂを貫通孔１８２ａと同じ方向にすると、停止棒１８０ｂが貫通孔１８２ａを通過し、バネ１８１の力により停止パッド１８０ｄは回転台１８の方向に移動し、停止パッド１８０ｄが回転台１８と接触し、押圧する。これにより、支柱１４は、停止状態となる。
【００４６】
また、図５（ａ）及び（ｂ）に示すように、回転台１３上に立設された支柱１４には、スライドレール１５が取り付けられ、さらには、スライドレール１５の壁面側の部材には、ＵＶ照射器１６が取り付けられ固定されることにより、ＵＶ照射器１６は上下に自由に移動できるようになっている。
【００４７】
このＵＶ照射器１６の上部には、先端にフック１７ｂを備えたベルト１７ａが２組取り付けられており、支柱１４に所定の間隔で形成された貫通孔１４ａにフック１７ｂを挿入し、貫通孔１４ａにフック１７ｂを引っ掛けることにより、ＵＶ照射器１６を上下の所定の位置で固定することができるようになっている。
【００４８】
上記したように本発明の紫外線照射用冶具１０では、脚部１２は、車輪１２ａとストッパ１２ｂとを備えているので、紫外線照射用冶具１０を自由に移動させ、固定させることができる。また、第１固定手段１３ｃを用いることにより、回転台１３を任意の回転角度で停止させることができる。また、回転台１３上には、スライドレール１８が設けられ、支柱１４には、第３固定手段１８ａが設けられているので、支柱１４を水平方向に自由に移動させ、停止させることができる。さらに、支柱１４にはスライドレール１５が取り付けられ、ＵＶ照射器１６は、第２固定手段としてのベルト１７ａとフック１７ｂとを備えているので、上下方向に移動させた後、所定の位置で停止させることができ、ＵＶ照射器１６と壁面との距離を調整することができる。従って、本発明の紫外線照射用冶具１０によれば、任意の位置や角度に紫外線照射用冶具を移動させて紫外線を照射することができ、トイレ等の壁に囲まれた狭い空間であっても、壁面に付着した全ての未硬化の抗微生物組成物を、迅速、容易かつ効率的に硬化させることができる。
【００４９】
本発明の紫外線照射用冶具は、図１〜図５に示した紫外線照射用冶具に限定されるものではない。
上記した紫外線照射用冶具１０では、脚部１２が、車輪１２ａとストッパ１２ｂとを備えていたが、脚部１２は、車輪１２ａとストッパ１２ｂとを備えていなくてもよい。回転台と回転台上に設けられたスライドレール１８により、所定の角度と所定の位置に移動可能であるからである。
本発明の紫外線照射用冶具では、脚部は、必要に応じて取り付けられればよく、台座部に着脱可能であることが望ましい。
【００５０】
また、上記した紫外線照射用冶具１０では、４本の脚部１２を備えていたが、脚部は１本以上あればよい。台座部をトイレ等上に載置することにより、紫外線照射用冶具を固定することができるからである。
【００５１】
上記した紫外線照射用冶具１０では、回転台に第２移動手段及び第３固定手段が配設されていたが、本発明の紫外線照射用冶具では、第２移動手段及び第３固定手段が配設されていなくてもよい。回転台を回転させ、第１移動手段と第２固定手段とを使用することにより、紫外線照射手段を上下方向に移動させることができるとともに、紫外線照射手段を所定の角度回転させることができ、周囲の壁面に紫外線を照射することが可能であるからである。
【００５２】
第１固定手段及び第３固定手段は、回転台を停止することができ、支柱を所定箇所に固定することができるものであれば、図２（ａ）及び（ｂ）や図３（ａ）及び（ｂ）に示された部材に限定されない。
【００５３】
次に、他の実施形態に係る本発明の紫外線照射用冶具について説明する。
図６は、他の実施形態に係る本発明の紫外線照射用冶具を模式的に示す斜視図である。図７は、図６に示した紫外線照射用冶具を構成する台座部を模式的に示す斜視図である。図８は、台座部及び回転台の断面図である。
【００５４】
図６に示すように、他の実施形態に係る本発明の紫外線照射用冶具２０は、１２個の第１位置固定用孔２１ａが形成された板状の台座部２１と、台座部２１に取り付けられた４本の脚部２２と、台座部２１上に載置され、２個の第２位置固定用孔２３ａが形成された回転台２３と、回転台２３に立設された支柱２４と、支柱２４に上下移動可能に設けられた移動手段としてのスライドレール２５と、スライドレール２５に配設された紫外線照射手段としてのＵＶ照射器２６と、ＵＶ照射器２６を上下の所定箇所に固定する第１固定手段としてのベルト２７ａとフック２７ｂとを備え、回転台２３の２個の第２位置固定用孔２３ａは、台座部２１の８個の第１位置固定用孔２１ａのうち、いずれか２個の第１位置固定用孔２１ａと位置が合致するように形成され、台座部２１と回転台２３の合致した２個の孔に第２固定手段を構成するボルト２８を挿入することにより、回転台２３の水平方向の位置が固定されるように構成されている。
また、図８に示すように、回転台２３の中心軸部分には凹部２３ｂが設けられ、台座部２１の該当部分には円柱状の突起２１ｂが設けられ、突起２１ｂを凹部２３ｂに挿入することにより、回転台２３が突起２１ｂを中心として回転できるようになっている。
【００５５】
図７に示すように、台座部２１の中心に対して回転対称となる１２の位置に第１位置固定用孔２１ａが形成されており、図８に示すように、台座部２１と回転台２３の合致した２個の孔（第１位置固定用孔２１ａ及び第２位置固定用孔２３ａ）に第２固定手段を構成するボルト２８を挿入することにより、回転台２３の水平方向の位置が固定される。
【００５６】
また、図６に示すように、回転台２３上に立設された支柱２４には、スライドレール２５が取り付けられ、スライドレール２５を構成する部材には、ＵＶ照射器２６が取り付けられ、固定されることにより、ＵＶ照射器２６は上下に自由に移動できるようになっている。
【００５７】
このＵＶ照射器２６の上部には、先端にフック２７ｂを備えたベルト２７ａが２組取り付けられており、支柱２４に所定の間隔で形成された貫通孔２４ａにフック２７ｂを挿入し、貫通孔２４ａにフック２７ｂを引っ掛けることにより、ＵＶ照射器２６を上下の所定の位置で固定することができるようになっている。
【００５８】
このように、本発明の紫外線照射用冶具２０の台座部２１上に載置された回転台２３は、所定の角度回転させた後、２個の孔（第１位置固定用孔２１ａ及び第２位置固定用孔２３ａ）にボルト２８を挿入することにより、回転台２３の水平方向の位置を固定することができる。
また、回転台２３上に立設された支柱２４には、スライドレール２５が設けられ、スライドレール２５には、ＵＶ照射器２６が固定されているので、ＵＶ照射器２６が備えるベルト２７ａとフック２７ｂにより上下方法の任意の位置にＵＶ照射器２６を固定することができる。
【００５９】
従って、回転台２３を回転させた後、所定の位置で固定し、上下方向の位置もスライドレール２５と固定手段とを用いて固定した後、ＵＶ照射器２６により紫外線を照射することにより壁面に付着した所定面積の抗微生物組成物を硬化させることができる。上記した部材を用いて水平方向の回転と上下方向の移動を繰り返しながら、紫外線を照射することにより、紫外線照射用冶具２０の周囲の壁面に形成された全ての抗微生物組成物を、迅速、容易かつ効率的に硬化させることができる。
【００６０】
上記した本発明の他の実施形態では、台座部２１により、回転対称となるように１２個の第１位置固定用孔２１ａを形成しているので、４５°づつ角度を変えながら８回紫外線を照射することにより、上下方法の所定の位置における周囲の全ての壁面に紫外線を照射することができる。
【００６１】
上記した本発明の他の実施形態においては、台座部２１に回転対称となるように４５°づつ、８個の第１位置固定用孔２１ａを形成してもよく、回転対称となるように６０°づつ、６個の第１位置固定用孔を形成してもよい。上記した本発明の他の実施形態においては、第２位置固定用孔２３ａは、２個であるが、1個であっても、ボルトを挿入することにより、回転台２３の位置を停止させることができる。
【００６２】
上記した本発明の他の実施形態では、支柱に所定の間隔で貫通孔１４ａを形成しているが、貫通孔の代わりに、所定の間隔で突起を設け、突起にフックを引っ掛けてもよい。
【００６３】
上記した本発明の他の実施形態では、回転台に支柱を１本立設したが、場合によっては、回転台に支柱を２本立設し、この２本の支柱にそれぞれ第２移動手段を設け、２つの第二移動手段を繋ぐ結合板を設けるとともに、結合板に紫外線照射手段を配設することによっても、上記した紫外線照射用冶具と同様の効果を奏する紫外線照射用冶具とすることができる。
【００６４】
上記した本発明の他の実施形態では、スライドレール移動機構と第１固定手段とを用い、紫外線照射手段を上下の任意の位置に固定したが、スライドレール移動機構と第１固定手段との代わりに、上下方向の位置が調節可能なストッパ付スライドレールを用いることにより、紫外線照射手段を上下方向の任意の位置に移動させることができ、紫外線を照射することができる。
【００６５】
本発明の紫外線照射用冶具において、壁面の材料は、特に限定されるものでなく、例えば、金属、ガラス等のセラミック、樹脂、繊維織物、木材等が挙げられる。
また、本発明の紫外線照射用冶具において、対象となる壁面も、特に限定されるものではなく、建築物内部のトイレ等の壁面、窓ガラス、ドア等であってもよいが、四方が壁面で囲まれた狭い空間において、紫外線を照射し、効率良く未硬化の抗微生物組成物を硬化したい場合に、本発明の紫外線照射用冶具が役立つ。
【００６６】
本発明で用いられる紫外線照射手段は、紫外線硬化型樹脂を硬化させる性能を有するものであれば、特に限定されず、公知の紫外線照射器、紫外線照射装置を用いることができる。
【００６７】
本発明の紫外線照射用冶具において、上記抗微生物組成物は、上記抗微生物成分として、無機系抗微生物剤及び有機系抗微生物剤からなる群から選択される少なくとも１種を含んでいることが望ましい。
上記抗微生物組成物中には、上記した無機系抗微生物剤が１種類のみ含まれていてもよく、２種類以上の無機系抗微生物剤が含まれていてもよく、上記した有機系抗微生物剤が１種類のみ含まれていてもよく、２種類以上の有機系抗微生物剤が含まれていてもよい。さらに、上記抗微生物組成物中には、上記無機系抗微生物剤と上記無機系抗微生物剤とが２種類以上含まれていてもよい。
【００６８】
また、本発明の紫外線照射用冶具において、上記無機系抗微生物剤は、銀、銅、亜鉛、白金、亜鉛化合物、銀化合物、銅化合物、金属もしくは金属酸化物が担持された金属酸化物触媒（金属酸化物粒子）、金属イオンでイオン交換されたゼオライト、及び、銅の錯体からなる群から選択される少なくとも１種であることが望ましい。
【００６９】
上記抗微生物組成物中に含まれている無機系抗微生物剤として、例えば、銀、銅、亜鉛及び白金の少なくとも１種からなる金属が挙げられる。
抗微生物組成物中には、銀、銅、亜鉛及び白金の粒子が単独で含まれていてもよく、銀、銅、亜鉛及び白金のうち、２種類以上の金属粒子が含まれていてもよく、例えば、銀、銅、亜鉛及び白金のうち、少なくとも２種を含む合金の金属粒子が固定されていてもよい。
【００７０】
上記抗微生物組成物中に含まれている無機系抗微生物剤として、例えば、銅のカルボン酸塩、銅の錯体、銅の水溶性無機塩等の銅化合物等が挙げられる。
上記銅のカルボン酸塩としては、銅のイオン性化合物を使用することができ、酢酸銅、安息香酸銅、フタル酸銅等が挙げられる。
上記銅の水溶性無機塩としては、銅のイオン性化合物を使用することができ、例えば、硝酸銅、硫酸銅等が挙げられる。
その他の銅化合物としては、例えば、銅（メトキシド）、銅エトキシド、銅プロポキシド、銅ブトキシドなどが挙げられ、銅の共有結合性化合物としては銅の酸化物、銅の水酸化物などが挙げられる。銅のカルボン酸塩、銅の水酸化物は、有機バインダ、無機バインダとの親和性が高く、水により溶出しないため、耐水性に優れる。
上記銅のカルボン酸塩としては、酢酸銅（ＩＩ）、酢酸銅（Ｉ）、シュウ酸銅（Ｉ）、安息香酸銅（ＩＩ）、フタル酸銅（ＩＩ）等が挙げられる。
上記銅の錯体としては、例えば、アセチルアセトンと銅との錯体、５−メチル−２，４−ヘキサンジオン等のβジケトンと銅との錯体、銅（Ｉ）（１−ブタンチオレート）、銅（Ｉ）（へキサフルオロペンタンジオネートシクロオクタジエン）等が挙げられる。
上記銅の水溶性無機塩としては、例えば、硝酸銅（ＩＩ）、硫酸銅（ＩＩ）等が挙げられる。その他の銅化合物としては、例えば、銅（ＩＩ）（メトキシド）、銅（ＩＩ）エトキシド、銅（ＩＩ）プロポキシド、銅（ＩＩ）ブトキシド等が挙げられる。
【００７１】
上記抗微生物組成物中に含まれている金属もしくは金属酸化物が担持された金属酸化物触媒として、例えば、酸化チタン等に白金、パラジウム、ロジウム、ルテニウムなどの白金族、銀、銅などを担持させたものなどが挙げられる。金属もしくは金属酸化物が担持された金属酸化物触媒として、具体的には、例えば、白金担持チタニア触媒、銅担持チタニア触媒、銀担持チタニア触媒、白金担持窒素ドープチタニア触媒、白金担持硫黄ドープチタニア触媒、炭素ドープチタニア触媒、銅担持酸化タングステン触媒、銀担持酸化タングステン触媒等の可視光応答型光触媒が挙げられ、上記銅担持チタニア触媒としては、例えば、特開２００６−２３２７２９号公報に記載されたＣｕＯ／ＴｉＯ２（重量％比）＝１．０〜３．５の範囲で銅を含有するアナターゼ型酸化チタン、特開２０１２−２１０５５７号公報に記載された亜酸化銅（酸化銅（Ｉ）：Ｃｕ２Ｏ）と酸化チタンとが複合化した光触媒組成物、特開２０１３−１６６７０５号公報に記載された一価銅化合物及び二価銅化合物を含む混合物を表面に担持した酸化チタン、並びに、国際公開第２０１３／０９４５７３号に記載された結晶性ルチル型酸化チタンを含む酸化チタンと２価銅化合物とを含有する銅及びチタン含有組成物などが挙げられる。
【００７２】
また、無機系抗微生物剤としては、銀、銅、亜鉛、チタン、タングステン等から選ばれる少なくとも１種の金属を含む金属酸化物あるいは金属水和物の粒子を用いることもできる。無機系抗微生物剤の具体例としては、例えば、酸化銅（Ｉ）（亜酸化銅）、酸化銅（ＩＩ）、炭酸銅（ＩＩ）、水酸化銅（ＩＩ）、塩化銅（ＩＩ）、銀イオン及び銅イオンの少なくとも一方で交換されたゼオライト、ナノ銀及び銅の少なくとも一方が担持されたアルミナ、ナノ銀及び銅の少なくとも一方が担持されたシリカ、ナノ銀及び銅の少なくとも一方が担持された酸化亜鉛、ナノ銀及び銅の少なくとも一方が担持された酸化チタン、もしくは酸化タングステン、ナノ銀及び銅の少なくとも一方が担持されたリン酸カルシウム等の無機粒子が挙げられる。銀イオン及び銅イオンの少なくとも一方で交換されたゼオライトは、さらに亜鉛イオン等の他の金属イオンで交換されていてもよい。また、本発明の無機系抗微生物剤としては、銅の錯体であることが望ましい。
【００７３】
本発明の紫外線照射用冶具では、上記有機系抗微生物剤は、抗微生物樹脂、スルホン酸系界面活性剤、銅のアルコキシド、及び、ビス型第四級アンモニウム塩からなる群から選択される少なくとも１種であることが望ましい。
【００７４】
本発明の紫外線照射用冶具において、上記有機系抗微生物剤としては、例えば、ハロカルバン、クロロフェネシン、塩化リゾチーム、塩酸アルキルジアミノエチルグリシン、イソプロピルメチルフェノール、チモール、ヘキサクロロフェン、ベルベリン、チオキソロン、サリチル酸およびそれらの誘導体、安息香酸、安息香酸ナトリウム、パラオキシ安息香酸エステル、パラクロルメタクレゾール、塩化ベンザルコニウム、フェノキシエタノール、イソプロピルメチルフェノール、石炭酸、ソルビン酸、ソルビン酸カリウム、ヘキサクロロフェン、塩化クロルヘキシジン、トリクロロカルバニリド、チアントール、ヒノキチオール、トリクロサン、トリクロロヒドロキシジフェニルエーテル、クロルヘキシジングルコン酸塩、フェノキシエタノール、レゾルシン、アズレン、サリチル酸、ジンクピリチオン、モノニトログアヤコールナトリウム、ウイキョウエキス、サンショウエキス、塩化セチルピリジニウム、塩化ベンゼトニウム及びウンデシレン酸誘導体、アルキルベンゼンスルホン酸又はその塩等が挙げられる。これらのなかでは、アルキルベンゼンスルホン酸又はその塩が好ましい。
【００７５】
本発明の紫外線照射用冶具において、抗微生物樹脂は、酸性官能基と樹脂基体とからなる。酸性官能基としては、例えば、スルホン酸基、リン酸基、カルボキシル基、水酸基、ニトロ基などが挙げられる。これらのなかでは、スルホン酸基、リン酸基、カルボキシル基が好ましい。
【００７６】
上記樹脂基体は、ビニル基を有するモノマーの重合体であることが望ましい。
ビニル基を有するモノマーの重合体は、付加重合で合成されるので水などの副生成物がなく、透明度の高い抗微生物樹脂を得ることができる。このため、基材の意匠性に与える影響を小さくすることができる。
【００７７】
上記ビニル基を有するモノマーは、スチレン、メタクリル酸、メタクリル酸エステル、ジビニルベンゼン、トリビニルベンゼンから選択される１種以上のモノマーであることが望ましい。
スチレン、メタクリル酸、メタクリル酸エステル、ジビニルベンゼン、トリビニルベンゼンは、特に透明度の高い抗微生物樹脂を得ることができる。また、ジビニルベンゼン、トリビニルベンゼンは、モノマーに添加することによって架橋し、三次元網目構造を形成することができる。三次元網目構造を形成することによって、分解しにくくなり、耐久性を高くすることができる。
【００７８】
本発明の紫外線照射用冶具において、酸性官能基と樹脂基体とからなる抗微生物樹脂は、特に限定されるものではないが、例えば、陽イオン交換樹脂をそのままあるいは粉砕などして微細化して使用することができる。陽イオン交換樹脂は、同様に樹脂基体に酸性官能基を有する構成であり、本発明の抗微生物樹脂として利用することができる。
【００７９】
上記ビス型第四級アンモニウム塩としては、例えば、下記一般式（１）で表されるビス型ピリジニウム塩、ビス型キノリニウム塩、ビス型チアゾリウム塩、下記一般式（２）で表される化合物等が望ましい。
【００８０】
【化１】
2020197090.tif 000003
（上記一般式（１）中、Ｒ１及びＲ２は、同一または異なっていてもよいアルキル基、Ｒ３はエーテル結合を含んでもよい有機基であり、Ｘ−は、ハロゲン陰イオンを示す。）
【００８１】
【化２】
2020197090.tif 000004
（上記一般式（２）中、Ｒ４は、官能基を有してもよいアルキル基を表し、Ｒ５、Ｒ６、Ｒ７、Ｒ８、Ｒ９及びＲ１０は、アルキル基を表す。）
【００８２】
まず、上記一般式（１）で表されるビス型ピリジニウム塩について説明する。
上記一般式（１）で表されるビス型ピリジニウム塩において、Ｘ−としては、例えば、Ｃｌ−、Ｂｒ−、Ｉ−等が挙げられる。
Ｒ１、Ｒ２は、炭素数１〜２０のアルキル基が好ましく、上記アルキル基は、側鎖を有していてもよい。
上記一般式（１）中、Ｒ３で表される有機基は、−ＣＯ−Ｏ−(ＣＨ２)６−Ｏ−ＣＯ−、−ＣＯＮＨ−(ＣＨ２)６−ＣＯ−、−ＮＨ−ＣＯ−(ＣＨ２)４−ＣＯ−ＮＨ−、−Ｓ−Ｐｈ−Ｓ−、−ＣＯＮＨ−Ｐｈ−ＮＨＣＯ−、―ＮＨＣＯ−Ｐｈ−ＣＯＮＨ−、−Ｏ−(ＣＨ２)６−Ｏ−または−ＣＨ２−Ｏ−(ＣＨ２)４−Ｏ−ＣＨ２−（但し、Ｐｈは、フェニレン基を表す。）で表されるものであることが望ましい。
【００８３】
具体的には、ビス型ピリジニウム塩として、下記の一般式（３）〜一般式（１０）で示されるものが挙げられる。
【化３】
2020197090.tif 000005
上記一般式（３）中、Ｒ１１は、ＣｎＨ２ｎ＋１で表されるアルキル基であり、ｎは、８、１０、１２、１４、１６または１８が望ましい。また、ｍは、３、４、６、８、１０が望ましい。以下に示す化合物の置換基Ｒ１１についても、同様である。
【００８４】
【化４】
2020197090.tif 000006
【００８５】
【化５】
2020197090.tif 000007
【００８６】
【化６】
2020197090.tif 000008
【００８７】
【化７】
2020197090.tif 000009
【化８】
2020197090.tif 000010
【００８８】
【化９】
2020197090.tif 000011
【００８９】
【化１０】
2020197090.tif 000012
【００９０】
また、上記ビス型ピリジニウム塩としては、下記の一般式（１１）で表される１，１′−ジデシル−３，３′−［ブタン−１，４−ジイルビス（オキシメチレン）］ジピリジニウム＝ジブロミドが特に望ましい。
【化１１】
2020197090.tif 000013
【００９１】
次に、上記ビス型チアゾリウム塩について説明する。
また、上記ビス型チアゾリウム塩としては、下記の一般式（１２）で示されるビス型チアゾリウム塩が挙げられる。
【化１２】
2020197090.tif 000014
【００９２】
次に、ビス型キノリニウム塩について説明する。
上記ビス型キノリニウム塩としては、一般式（３）〜一般式（１０）で表されるビス型ピリジニウム塩を構成する下記の一般式（１３）に表されるピリジニウム基を、一般式（１４）に示すキノリウム基に置換した化学構造を有するビス型キノリニウム塩が挙げられる。上記ビス型キノリニウム塩において、他の置換基等は、一般式（３）〜一般式（１０）で表されるビス型ピリジニウム塩と同様である。
【００９３】
【化１３】
2020197090.tif 000015
【００９４】
【化１４】
2020197090.tif 000016
【００９５】
さらに、本発明で使用される一般式（２）で表される化合物について説明する。
【化１５】
2020197090.tif 000017
上記一般式（２）中、Ｒ４は、官能基を有してもよいアルキル基を示す。アルキル基は、側鎖を有してもよく、その炭素数は、１〜２０が望ましい。上記官能基としては、ヒドロキシル基、アルデヒド基、カルボキシル基、シアノ基、ニトロ基、アミノ基、エーテル基等が挙げられる。また、Ｒ５、Ｒ６、Ｒ７、Ｒ８、Ｒ９及びＲ１０は、アルキル基を表し、上記アルキル基は、側鎖を有してもよく、その炭素数は、１〜２０が望ましい。
【００９６】
上記一般式（２）で表される化合物としては、２，３−ビス（ヘキサデシルジメチルアンモニウムブロマイド）−１−プロパノール等が挙げられる。
【００９７】
本発明の紫外線照射用冶具において、上記抗微生物組成物に含まれる紫外線硬化型樹脂としては、例えば、アクリル樹脂、ウレタンアクリレート樹脂、ポリエーテル樹脂、ポリエステル樹脂、エポキシ樹脂、及び、アルキッド樹脂からなる群から選択される少なくとも１種が望ましい。
【００９８】
上記アクリル樹脂としては、エポキシ変性アクリレート樹脂、ウレタンアクリレート樹脂（ウレタン変性アクリレート樹脂）、シリコン変性アクリレート樹脂等が挙げられる。
上記ポリエステル樹脂としては、例えば、ポリエチレンテレフタレート（ＰＥＴ）、ポリブチレンテレフタレート（ＰＢＴ）等が挙げられる。
【００９９】
上記エポキシ樹脂としては、脂環式エポキシ樹脂、脂環式エポキシ樹脂脂環式エポキシ樹脂やグリシジルエーテル型のエポキシ樹脂グリシジルエーテル型のエポキシ樹脂とオキセタン樹脂を組みわせたもの等が挙げられる。
アルキッド樹脂としては、ポリエステルアルキッド樹脂等が挙げられる。
これらの樹脂は、透明性を有するとともに、基材に対する密着性にも優れる。
【０１００】
本発明の紫外線照射用冶具では、上記抗微生物組成物には、光重合開始剤が含まれていることが望ましい。
壁面に、未硬化の紫外線硬化型樹脂であるモノマー又はオリゴマーと光重合開始剤と各種添加剤と抗微生物成分とを含んだ抗微生物組成物を付着せしめた後、紫外線を照射することにより、光重合開始剤は、開裂反応、水素引き抜き反応、電子移動等の反応を起こし、これにより生成した光ラジカル分子、光カチオン分子、光アニオン分子等が上記モノマーや上記オリゴマーを攻撃してモノマーやオリゴマーの重合反応や架橋反応が進行し、抗微生物成分を含む抗微生物組成物の硬化体が形成される。
【０１０１】
また、本発明においては、上記光重合開始剤は、銅に対する還元剤として使用することができる。光重合開始剤により、銅（ＩＩ）を銅（Ｉ）に還元することができる。銅（Ｉ）の方が銅（ＩＩ）よりも抗微生物性能が高い。
【０１０２】
上記光重合開始剤は、具体的にはアルキルフェノン系、ベンゾフェノン系、アシルフォスフィンオキサイド系、分子内水素引き抜き型、及び、オキシムエステル系からなる群から選択される少なくとも１種が望ましい。
【０１０３】
上記アルキルフェノン系の光重合開始剤としては、例えば、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、２−メチル−１−（４−メチルチオフェニル）−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホニル）フェニル]−１−ブタノン等が挙げられる。
【０１０４】
アシルフォスフィンオキサイド系の光重合開始剤としては、例えば、２，４，６−トリメチルベンゾイル−ジフェニル−フォスフィンオキサイド、ビス（２，４，６−トリメチルベンゾイル）−フェニルフォスフィンオキサイド等が挙げられる。
【０１０５】
分子内水素引き抜き型の光重合開始剤としては、例えば、フェニルグリオキシリックアシッドメチルエステル、オキシフェニルサクサン、２−［２−オキソ−２−フェニルアセトキシエトキシ］エチルエステルトオキシフェニル酢酸と２−（２−ヒドロキシエトキシ）エチルエステルとの混合物等が挙げられる。
【０１０６】
オキシムエステル系の光重合開始剤としては、例えば、１，２−オクタンジオン，１−［４−（フェニルチオ）−，２−（Ｏ−ベンゾイルオキシム）］、エタノン，１−［９−エチル−６−（２−メチルベンゾイル）−９Ｈ−カルバゾール−３−イル］−，１−（０-アセチルオキシム)等が挙げられる。
【０１０７】
本発明の紫外線照射用冶具においては、上記光重合開始剤は、アルキルフェノン系の光重合開始剤およびベンゾフェノン系の光重合開始剤を含み、アルキルフェノン系の光重合開始剤とベンゾフェノン系の光重合開始剤の比率は、重量比でアルキルフェノン系の光重合開始剤／ベンゾフェノン系の光重合開始剤＝１／１〜４／１であることが望ましい。紫外線硬化型樹脂の硬化物の架橋密度が高くなり、壁面に固定された抗微生物組成物の硬化体の拭き取り清掃の際に発生する応力や摩耗に対する耐久性が向上するからである。
【０１０８】
次に、本発明の抗微生物組成物のコート方法について説明する。
本発明の抗微生物組成物のコート方法は、壁面に、抗微生物成分及び紫外線硬化型樹脂を含む未硬化の抗微生物組成物を付着せしめた後、付着した上記抗微生物中の上記未硬化の紫外線硬化型樹脂に紫外線を照射して上記紫外線硬化型樹脂を硬化させ、上記壁面に抗微生物組成物の硬化体を固定させる抗微生物組成物の壁面へのコート方法であって、
上記紫外線硬化型樹脂を硬化させる際、上記の紫外線照射用冶具を用いることを特徴とする。
【０１０９】
（１）吹き付け工程
本発明の抗微生物組成物のコート方法では、まず、壁面に向けて、抗微生物成分及び紫外線硬化型樹脂を含む未硬化の抗微生物組成物を吹き付け、壁面に抗微生物組成物を付着せしめる吹き付け工程を行う。
本発明の紫外線照射用冶具を製造する際には、まず、吹き付け工程として、壁面に向かって、抗微生物成分と未硬化の紫外線硬化型樹脂と分散媒と光重合開始剤とを含む抗微生物組成物を吹き付ける。
抗微生物成分を作製する際には、紫外線硬化型樹脂と光重合開始剤とを含む硬化液と抗微生物成分を含む抗微生物成分含有液の２液を、吹き付け工程を行う現場に持って行き、両液を混合することにより未硬化の抗微生物組成物を調製し、吹き付け工程を行う。紫外線硬化型樹脂とＣｕを含む抗微生物成分を混合すると、Ｃｕが触媒となって、紫外線硬化型樹脂の硬化が進行してしまうため、上述のような２液に分けて保管することが望ましい。
【０１１０】
壁面に、上記抗微生物組成物を吹き付ける方法としては、例えば、スプレー法、二流体スプレー法、静電スプレー法、エアロゾル法等が挙げられる。
【０１１１】
本発明において、スプレー法とは、高圧の空気などのガスや機械的な運動(指やピエゾ素子など)用いて抗微生物組成物を霧の状態で噴霧し、壁面に上記抗微生物組成物の液滴を付着させることをいう。
本発明において、二流体スプレー法とは、スプレー法の一種であり、高圧の空気などのガスと抗微生物組成物とを混合した後、ノズルから霧の状態で噴霧し、壁面に上記抗微生物組成物の液滴を付着させることをいう。
本発明において、静電スプレー法とは、帯電した抗微生物組成物を利用する散布方法であり、上記したスプレー法により抗微生物組成物を霧の状態で噴霧するが、上記抗微生物組成物を霧状にするための方式には、上記抗微生物組成物を噴霧器で噴霧するガン型と、帯電した抗微生物組成物の反発を利用した静電霧化方式があり、さらに、ガン型には帯電した抗微生物組成物を噴霧する方式と、噴霧した霧状の抗微生物組成物に外部電極からコロナ放電で電荷を付与する方式とがある。霧状の液滴は、帯電しているため、壁面に付着し易く、良好に上記抗微生物組成物を、細かく分割された状態で壁面に付着させることができる。
本発明において、エアロゾル法とは、金属の化合物を含む抗微生物組成物を物理的及び化学的に生成した霧状のものを対象物に吹き付ける手法である。
【０１１２】
本発明の紫外線照射用冶具において、壁面の材料は、特に限定されるものでなく、例えば、金属、ガラス等のセラミック、樹脂、繊維織物、木材等が挙げられる。
また、本発明の紫外線照射用冶具において、対象となる壁面も、特に限定されるものではなく、建築物内部のトイレ等の壁面、窓ガラス、ドア等であってもよいが、四方が壁面で囲まれた狭い空間において、紫外線を照射し、効率良く未硬化の抗微生物組成物を硬化したい場合に、本発明の紫外線照射用冶具が役立つ。
【０１１３】
上記抗微生物成分としては、無機系抗微生物剤及び有機系抗微生物剤からなる群から選択される少なくとも１種が挙げられる。
上記無機系抗微生物剤は、銀、銅、亜鉛、白金、亜鉛化合物、銀化合物、銅化合物、金属もしくは金属酸化物が担持された金属酸化物触媒、金属イオンでイオン交換されたゼオライト、及び、銅の錯体からなる群から選択される少なくとも１種であることが望ましく、上記有機系抗微生物剤は、抗微生物樹脂、スルホン酸系界面活性剤、銅のアルコキシド、及び、ビス型第四級アンモニウム塩からなる群から選択される少なくとも１種であることが望ましい。
【０１１４】
上記紫外線硬化型樹脂は、アクリル樹脂、ウレタンアクリレート樹脂、ポリエーテル樹脂、ポリエステル樹脂、エポキシ樹脂、及び、アルキッド樹脂からなる群から選択される少なくとも１種であることが望ましい。
【０１１５】
上記分散媒の種類は特に限定されるものではないが、安定性を考慮した場合にはアルコール類や水を使用する事が好ましい。アルコール類としては、粘性を下げる事を考慮して、例えば、メチルアルコール、エチルアルコール、ｎ−プロピルアルコール、イソプロピルアルコール、ｎ−ブチルアルコール、イソブチルアルコール、ｓｅｃ−ブチルアルコール等のアルコール類が挙げられる。これらのアルコールのなかでは、粘度が高くなりにくいメチルアルコール、エチルアルコールが好ましく、アルコールと水との混合液が望ましい。
【０１１６】
本発明においては、光重合開始剤は、紫外線の照射により、紫外線硬化型樹脂を硬化させるとともに、銅に対する還元剤として使用することができる。このため、紫外線硬化型樹脂、銅化合物および分散媒からなる抗微生物組成物に光重合開始剤を添加してもよい。光重合開始剤により、銅（ＩＩ）を銅（Ｉ）に還元することができる。銅（Ｉ）の方が銅（ＩＩ）よりも抗微生物性能が高い。
【０１１７】
上記光重合開始剤は、具体的にはアルキルフェノン系、ベンゾフェノン系、アシルフォスフィンオキサイド系、分子内水素引き抜き型、及び、オキシムエステル系からなる群から選択される少なくとも１種が望ましい。
【０１１８】
上記抗微生物組成物中の抗微生物成分の含有割合は、２．０〜３０．０重量％が望ましく、未硬化の紫外線硬化型樹脂（モノマー又はオリゴマー）の含有割合は、１５〜４０重量％が望ましく、分散媒の含有割合は、３０〜８０重量％が望ましい。
【０１１９】
上記抗微生物組成物中には、必要に応じて、紫外線吸収剤、酸化防止剤、光安定剤、接着促進剤、レオロジー調整剤、レベリング剤、消泡剤等が配合されていてもよい。
【０１２０】
上記抗微生物組成物を調製する際には、分散媒に抗微生物成分とモノマー若しくはオリゴマーと重合開始剤を添加した後、ミキサー等で充分に攪拌し、抗微生物成分、未硬化の紫外線硬化型樹脂等、重合開始剤が均一な濃度で分散する組成物とした後、壁面に吹き付け、壁面に抗微生物組成物の液滴を付着せしめることが望ましい。
【０１２１】
上記吹き付け工程により、壁面に抗微生物成分の液滴が島状に散在し、もしくは、抗微生物成分を含む液滴が付着している領域と液滴が付着していない領域とが混在した状態となる。
【０１２２】
（２）乾燥工程
上記吹き付け工程により壁面に付着した抗微生物成分と未硬化の紫外線硬化型樹脂と分散媒と重合開始剤とを含む抗微生物組成物を乾燥させ、分散媒を蒸発、除去し、抗微生物成分を含む抗微生物組成物を壁面に仮固定させるとともに、抗微生物組成物の収縮により、抗微生物成分を抗微生物組成物の表面から露出させることができる。乾燥条件としては、６０〜１００℃、０．５〜５．０分が望ましい。
【０１２３】
（３）硬化工程
上記乾燥工程の後、硬化工程として、本発明の紫外線照射用冶具を用い、上記乾燥工程で分散媒を除去した抗微生物組成物中の上記未硬化の紫外線硬化型樹脂であるモノマーやオリゴマーに紫外線を照射して上記紫外線硬化型樹脂を硬化させ、抗微生物組成物の硬化体とする。
用いる紫外線の波長は、２５４ｎｍ及び３６５ｎｍが好ましく、３６５ｎｍがより好ましい。壁面に付着した抗微生物組成物の内部に紫外線を到達させることができるからである。
紫外線の照射強度は、１．０〜３０ｍＷ／ｃｍ２が望ましい。短時間で抗微生物組成物の硬化体を形成することができるからである。紫外線の照射時間は、２０〜６００秒が望ましい。
【０１２４】
本発明の紫外線照射手段を用い、一度の紫外線照射により、５０００〜１００００ｃｍ２の面積の抗微生物組成物を硬化させることができる。
【０１２５】
上記紫外線は、光重合開始剤を励起し、銅化合物を還元する働きをもつ。このため、銅（ＩＩ）を還元して銅（Ｉ）の量を増やして抗微生物活性を高くすることができる。  
【０１２６】
本発明の紫外線照射用冶具では、Ｘ線光電子分光分析法により、９２５〜９５５ｅＶの範囲にあるＣｕ（Ｉ）とＣｕ（ＩＩ）に相当する結合エネルギーを５分間測定することで上記銅化合物中にＣｕ（Ｉ）とＣｕ（ＩＩ）の共存が確認されることが望ましい。Ｃｕ（Ｉ）とはＣｕ（ＩＩ）は共存した方がそれぞれ単独の場合よりも抗微生物活性が高いからである。
【０１２７】
本発明の紫外線照射用冶具では、Ｘ線光電子分光分析法により、９２５〜９５５ｅＶの範囲にあるＣｕ（Ｉ）とＣｕ（ＩＩ）に相当する結合エネルギーを５分間測定することで算出される、上記銅化合物中に含まれるＣｕ（Ｉ）とＣｕ（ＩＩ）とのイオンの個数の比率（Ｃｕ（Ｉ）／Ｃｕ（ＩＩ））は、０．４〜５０であることが望ましい。
また、Ｃｕ（Ｉ）の銅は、Ｃｕ（ＩＩ）の銅と比較して抗微生物性により優れているため、第１の本発明の紫外線照射用冶具において、Ｘ線光電子分光分析法により、９２５〜９５５ｅＶの範囲にあるＣｕ（Ｉ）とＣｕ（ＩＩ）に相当する結合エネルギーを５分間測定することで算出される、上記銅化合物中に含まれるＣｕ（Ｉ）とＣｕ（ＩＩ）とのイオンの個数の比率（Ｃｕ（Ｉ）／Ｃｕ（ＩＩ））が１．０〜４．０であると、より抗微生物性に優れた紫外線照射用冶具となる。
これらの工程により、抗微生物成分を含む抗微生物組成物の硬化体を壁面に固定することができる。
【０１２８】
上記抗微生物組成物中には、上記した光重合開始剤が添加されているので、電磁波を照射することにより未硬化の紫外線硬化型樹脂であるモノマーやオリゴマーの重合反応や架橋反応等が進行し、抗微生物組成物の硬化体が形成される。
上記吹き付け工程により散布された抗微生物組成物は、壁面に孤立して、又は、壁面の一部を露出した状態で重畳して付着しているので、得られた抗微生物組成物の硬化体は、壁面に島状に散在しているか、又は、当該抗微生物組成物の硬化体が形成された領域と形成されてない領域が混在した状態となる。
【０１２９】
上記抗微生物組成物の硬化体の壁面への被覆率は、抗微生物組成物中の抗微生物成分の濃度、分散媒の濃度等や散布の圧力、塗液の噴出速度、散布時間等を操作することにより、調整することができる。スプレーガンを用いて噴射する場合は、スプレーガンのエアー圧力やスプレー塗布幅、スプレーガンの移動速度、塗液の噴出速度、塗布距離を変化させることにより、調整することができる。
【０１３０】
上記抗微生物組成物の硬化体の壁面に平行な方向の最大幅やその厚さの平均値は、走査型顕微鏡、レーザー顕微鏡を用いることにより、測定することができる。
具体的には、画像解析・画像計測ソフトウェアを備えた走査型顕微鏡やレーザー顕微鏡を用いることにより、又は、走査型顕微鏡、レーザー顕微鏡で得られた画像を画像解析・画像計測ソフトウェアを用いて画像解析等を行うことにより、上記した抗微生物組成物の硬化体の壁面に平行な方向の最大幅やその厚さの平均値を求めることができる。
【０１３１】
上記したように、抗微生物成分を作製する際には、紫外線硬化型樹脂と光重合開始剤とを含む硬化液と抗微生物成分を含む抗微生物成分含有液の２液を、吹き付け工程を行う現場に持って行き、両液を混合することにより未硬化の抗微生物組成物を調製し、吹き付け工程を行う。
従って、紫外線硬化型樹脂と光重合開始剤とを含む硬化液と抗微生物成分を含む抗微生物成分含有液は、予め作製しておいて、保管する方法を採用することができるが、その際、硬化液と抗微生物成分含有液の２液が保管により、どの程度機能を維持できるかが問題となる。
そこで、上記した２液を所定期間、保管した後、混合して吹き付け工程、乾燥工程、硬化工程を行い、高い抗微生物活性を維持できるか、検討を行った。なお、抗微生物成分を含む抗微生物成分含有液としては、酢酸銅を純水に溶解し、酢酸銅の濃度が０．１〜７ｗｔ％になるように濃度を調整した酢酸銅水溶液を使用し、紫外線硬化樹脂液は、光ラジカル重合型アクリレート樹脂を使用した。ちなみに、抗ウィルス活性値が３．０以上であれば、抗ウィルス活性として実用的に合格である。
２液を室温で３カ月保管した後、２液を混合し、壁面に抗微生物組成物の硬化体を形成した直後の抗ウィルス活性値は、５．０であり、雑巾等の拭き取り具により、１１０００回拭き取りを行った後の抗ウィルス活性値も、３．８と良好な結果を得ることができた。
また、２液を４２℃で３カ月保管した後、２液を混合し、壁面に抗微生物組成物の硬化体を形成した直後の抗ウィルス活性値は、５．０であり、雑巾等の拭き取り具により、１１０００回拭き取りを行った後の抗ウィルス活性値も、４．０と良好な結果を得ることができた。
従って、硬化液と抗微生物成分含有液の２液は、室温やそれよりも高い温度でも、少なくとも３カ月は保管可能であることが判明した。
【実施例】
【０１３２】
（実施例１）
（１）酢酸銅の濃度が６．０ｗｔ％になるように、酢酸銅（ＩＩ）・一水和物粉末（富士フイルム和光純薬製）を純水に溶解させた後、マグネチックスターラーを用い、６００ｒｐｍで１５分撹拌して酢酸銅水溶液を調製した。紫外線硬化樹脂液は、光ラジカル重合型アクリレート樹脂（ダイセル・オルネクス社製  ＵＣＥＣＯＡＴ７２００）と光重合開始剤（ＩＧＭ社製  Ｏｍｎｉｒａｄ５００）を重量比９８：２で混合し、ホモジナイザーを用い、８０００ｒｐｍで３０分間撹拌して調製した。
上記６．０ｗｔ％酢酸銅水溶液と紫外線硬化樹脂液を重量比１．０：１．７で混合し、マグネチックスターラーを用い、６００ｒｐｍで２分撹拌して抗ウィルス性組成物を調製した。
なお、ＩＧＭ社製のＯｍｎｉｒａｄ５００は、ＢＡＳＦ社のＩＲＧＡＣＵＲＥ５００と同じもので、１−ヒドロキシ−シクロヘキシル−フェニル−ケトン（アルキルフェノン）とベンゾフェノンとの重量比１：１の混合物である。すなわち、アルキルフェノン系重合開始剤とベンゾフェノン系重合開始剤は、重量比１：１で存在している。この光重合開始剤は、水に不溶であり、紫外線により還元力を発現する。
【０１３３】
（２）ついで、１０００ｍｍ×１０００ｍｍの大きさの黒色光沢メラミン板を床面に対して垂直に立て、７．５ｇ／分の噴出速度で分散媒を含んだ状態で４ｇ／ｍ２に相当する抗ウィルス性組成物をスプレーガン（明治機械製作所製  ＦＩＮＥＲ ＳＰＯＴ  Ｇ１２）を用い、０．１ＭＰａのエアー圧力、３０ｃｍ／ｓｅｃのストローク速度で霧状に吹き付け、抗微生物組成物の液滴を黒色光沢メラミン板表面に付着させた。
【０１３４】
（３）この後、黒色光沢メラミン板を８０℃で３分間乾燥させ、さらに紫外線照射装置（ＣＯＡＴＴＥＣ社製  ＭＰ０２）を含む図１に示した本発明の紫外線照射用冶具を用い、３０ｍＷ／ｃｍ２の照射強度で８０秒間紫外線を照射することにより、壁面を想定した黒色光沢メラミン板表面に銅化合物を含む抗微生物組成物の硬化体が固着形成された抗微生物組成物の硬化体を得た。
【０１３５】
（比較例１）
実施例１の黒色光沢メラミン板に抗ウィルス性組成物を固着させなかったものを比較例１とした。
【０１３６】
（ファージウィルスを用いた抗ウィルス性評価）
この抗ウィルス性試験は以下のように実施した。
実施例１及び比較例１で得られた抗微生物組成物の硬化体に関し、ＪＩＳ  Ｚ  ２８０１  抗菌加工製品−抗菌性試験方法・抗菌効果を改変した手法を用い、抗ウィルス性を測定した。改変点は、「試験菌液の接種」を「試験ウィルスの接種」に変更した点である。ウィルスを使用することによる変更点についてはすべてＪＩＳ  Ｌ  １９２２繊維製品の抗ウィルス性試験方法に基づき変更した。測定結果は実施例１で得られた抗ウィルス性部材についてＪＩＳ  Ｌ  １９２２付属書Ｂに基づき、ＣＲＦＫ細胞への感染能力を失ったファージウィルス濃度をウィルス不活度として表示する。ここで、ウィルス濃度の指標として、ＣＲＦＫ細胞に対して不活性化されたウィルスの濃度（ウィルス不活度）を使用し、このウィルス不活度に基づいて抗ウィルス活性値を算出した。
【０１３７】
以下、手順を具体的に記載する。
（１）実施例１及び比較例１で得られた抗ウィルス性部材について、当該抗ウィルス性部材を１辺５０ｍｍ角の正方形に切り出して試験試料とした。この試験試料を滅菌済プラスチックシャーレに置き、試験ウィルス液（＞１０７ＰＦＵ／ｍＬ）を０．４ｍＬ接種する。
試験ウィルス液は１０８ＰＦＵ／ｍＬのストックを精製水で１０倍希釈したものを使用する。
（２）対照試料として５０ｍｍ角のポリエチレンフイルムを用意し、試験試料と同様にウィルス液を接種する。
【０１３８】
（３）接種したウィルスの液の上から４０ｍｍ角のポリエチレンを被せ、試験ウィルス液を均等に接種させた後、２５℃で所定時間反応させる。
（４）接種直後または反応後、ＳＣＤＬＰ培地１０ｍＬを加え、ウィルス液を洗い流す。
（５）ＪＩＳ  Ｌ  １９２２付属書Ｂによってウィルスの感染値を求める。
【０１３９】
（６）以下の計算式を用いて抗ウィルス活性値を算出する。
Ｍｖ＝Ｌｏｇ（Ｖｂ／Ｖｃ）
Ｍｖ：抗ウィルス活性値
Ｌｏｇ（Ｖｂ）：ポリエチレンフイルムの所定時間反応後の感染値の対数値
Ｌｏｇ（Ｖｃ）：試験試料の所定時間反応後の感染値の対数値
参考規格  ＪＩＳ  Ｌ  １９２２、ＪＩＳ  Ｚ  ２８０１
測定方法は、プラーク測定法によった。
【０１４０】
実施例１に係る抗微生物組成物の硬化体の抗ウィルス活性値は、３．６であり、比較例１に係る未硬化の抗微生物組成物の抗ウィルス活性値は、０．１であり、比較例１に比べて紫外線を照射した実施例１の抗微生物組成物の硬化体は、高い抗ウィルス活性が得られることが判明した。
【符号の説明】
【０１４１】
１０、２０  紫外線照射用冶具
１１、２１  台座部
１２、２２  脚部
１２ａ  車輪
１２ｂ  ストッパ
１３、２３  回転台
１３ａ   ベアリング
１３ｂ    ボールベアリング
１３ｃ    第１固定手段
１４、２４  支柱
１５、２５  スライドレール
１６、２６  ＵＶ照射器
１７ａ、２７ａ  ベルト
１７ｂ、２７ｂ  フック
１８  スライドレール
１８ａ  第３固定手段
２１ａ  第１位置固定用孔
２３ａ  第２位置固定用孔
２８  ボルト
１３０  回転台固定部材
１３０ａ、１８０ａ  ハンドル
１３０ｂ、１８０ｂ  停止棒
１３０ｃ、１８０ｃ  芯棒
１３０ｄ、１８０ｄ  停止パッド
１３１、１８１  バネ
１３２  支持部材
１３２ａ、１８２ａ  貫通孔
１８０  支柱固定部材
１８２  支持部材
１９０  固定板
【図１】
2020197090.tif 000018
【図２】
2020197090.tif 000019
【図３】
2020197090.tif 000020
【図４】
2020197090.tif 000021
【図５】
2020197090.tif 000022
【図６】
2020197090.tif 000023
【図７】
2020197090.tif 000024
【図８】
2020197090.tif 000025